(57)【要約】      （修正有）【課題】座った姿勢のまま腰を伸ばすことのできるストレッチ装置を提供する。【解決手段】ストレッチ装置３０は、着座姿勢の使用者の脇を支持する一対の脇支持部３１と、前記脇支持部３１を上下動可能な脇支持部高さ調整機構３２とを備える。【選択図】図７
2014128408.tif 000002
【特許請求の範囲】
【請求項１】
着座姿勢の使用者の脇を支持する一対の脇支持部と、
前記脇支持部を上下動可能な脇支持部高さ調整機構とを備えるストレッチ装置。
【請求項２】
着座姿勢の使用者の膝裏を押し出す膝裏押出部と、
前記膝裏押出部を前後動可能な膝裏押出部調整機構とをさらに備える請求項１に記載のストレッチ装置。
【請求項３】
前記脇支持部高さ調整機構は、
椅子の座面に立設される一対の第１支柱と、
前記一対の第１支柱に沿って上下動可能な一対の第２支柱と、
前記第２支柱を前記第１支柱に対して上下動させて任意の高さで固定する支柱固定具とを備え、
前記脇支持部は、前記第２支柱の上端に取り付けられる請求項１又は２に記載のストレッチ装置。
【請求項４】
前記一対の脇支持部の間隔を調整可能な脇支持部幅調整機構をさらに備える請求項３に記載のストレッチ装置。
【請求項５】
前記脇支持部幅調整機構は、前記一対の第１支柱及び第２支柱を任意の間隔で連結する連結具からなる請求項４に記載のストレッチ装置。
【請求項６】
当該ストレッチ装置は、椅子の背もたれに着脱自在に取り付けられるカバーを備え、
前記脇支持部高さ調整機構は、前記一対の脇支持部が取り付けられる一対のベルトと、前記カバーに取り付けられる少なくとも一対の固定具とを備え、
前記ベルトは、前記脇支持部を挟んで一方側が前記カバーに取り付けられ、他方側に前記固定具に引っ掛けるための複数の穴が形成され、
前記穴は、前記ベルトの長手方向に沿って形成され、
前記脇支持部高さ調整機構は、前記固定具に引っ掛ける前記ベルトの穴を変えることで前記脇支持部を上下動することができる請求項１又は２に記載のストレッチ装置。
【請求項７】
前記一対の脇支持部の間隔を調整可能な脇支持部幅調整機構をさらに備える請求項６に記載のストレッチ装置。
【請求項８】
前記脇支持部幅調整機構は、略水平に複数取り付けられる前記固定具からなり、
前記ベルトの穴を引っ掛ける前記固定具を変えることで、前記一対の脇支持部の間隔を調整することができる請求項７に記載のストレッチ装置。
【請求項９】
前記膝裏押出部調整機構は、
椅子の座面上に延びる一対の第１ガイド部と、
前記一対の第１ガイド部に沿って前後動可能な一対の第２ガイド部と、
前記第２ガイド部を前記第１ガイド部に対して前後動させて任意の押出位置で固定するガイド固定具とを備え、
前記膝裏押出部は、前記第２ガイド部の前端に取り付けられる請求項２に記載のストレッチ装置。
【請求項１０】
椅子の背もたれに取り付けられる第１補助支持機構と、
使用者に装着され、前記第１補助支持機構と係合する第２補助支持機構とを備える請求項１〜９のいずれか一項に記載のストレッチ装置。
【請求項１１】
前後方向に撓むように可撓性を有する背もたれを備える椅子に取り付けられる請求項１〜１０のいずれか一項に記載のストレッチ装置。
【請求項１２】
当該ストレッチ装置は、背部をさらに備え、
前記脇支持部は、前記背部に取り付けられ、
前記脇支持部高さ調整機構は、前記背部を上下動させることにより前記脇支持部を上下動することができる背部駆動機構を備える請求項１又は２に記載のストレッチ装置。
【請求項１３】
当該ストレッチ装置は、座部をさらに備え、
前記膝裏押出部は、前記座部と一体的に形成されており、
前記膝裏押出部調整機構は、前記座部を前後動させることにより前記膝裏押出部を前後動させることができる座部駆動機構を備える請求項１２に記載のストレッチ装置。
【請求項１４】
前記背部に取り付けられる第１補助支持機構と、
使用者に装着され、前記第１補助支持機構と係合する第２補助支持機構とを備える請求項１２又は１３に記載のストレッチ装置。
【請求項１５】
前記背部は、前後方向に撓むように可撓性を有する請求項１３に記載のストレッチ装置。
【発明の詳細な説明】
【技術分野】
【０００１】
本発明は、ストレッチ装置に関するものである。
【背景技術】
【０００２】
飛行機、電車、バス、自動車等での移動時、デスクワーク時や勉強時等、椅子に長時間座り続けることが増えている。このような座る姿勢は、腰椎に大きな負担をかけ、椎間板にアンバランスな力が加えられる。そのため、中枢神経が圧迫され、腰痛を引き起こす原因となっている。そこで、腰痛対策として、例えば、特許文献１に記載のように、座りながら腰を左右方向に捻転することができる椅子が提案されている。
【０００３】
しかしながら、特許文献１の装置では、座った姿勢において腰を伸ばすことができず、腰を伸ばすためには、椅子の肘掛けに乗せる肘に力を入れて腰を浮かせる必要がある。
【先行技術文献】
【特許文献】
【０００４】
【特許文献１】特開平１１−１１３６６４号公報
【発明の概要】
【発明が解決しようとする課題】
【０００５】
しかしながら、肘に力を入れて腰を浮かすことは、かなり体力を消耗するため、長時間持続することが難しく、十分に腰を伸ばすことができないという問題が生じていた。
【０００６】
本発明は、上記課題を解決するためになされたものであり、使用者が座った姿勢のまま腰を伸ばすことのできるストレッチ装置を提供する。
【課題を解決するための手段】
【０００７】
本発明に係るストレッチ装置は、着座姿勢の使用者の脇を支持する一対の脇支持部と、前記脇支持部を上下動可能な脇支持部高さ調整機構とを備える。
【０００８】
本発明のストレッチ装置によると、着座姿勢の使用者の脇を支持する一対の脇支持部を上昇させることができる。この一対の脇支持部の上昇により、使用者の上半身が持ち上げられて腰を伸ばすことができる。これにより、肘を使用して自力で体を持ち上げる必要がなくなり、座った姿勢のままで楽に腰を伸ばしてストレッチすることができる。また、座った姿勢では腰に重力が掛かり腰痛等の様々な症状が出ていたが、脇を支持して腰を浮かすことで、引力により腰が引っ張られ、腰痛等の様々な症状を改善させることができる。
【０００９】
上記ストレッチ装置は、着座姿勢の使用者の膝裏を押し出す膝裏押出部と、膝裏押出部を前後動可能な膝裏押出部調整機構とをさらに備えることができる。この構成を有することにより、脇支持部によって使用者の上半身が持ち上げられることに加えて、膝裏押出部を前方に押し出して、使用者の膝を前方に押し出すことで下半身も引っ張られる。その結果、使用者の腰を空中に静止させることができ、使用者は腰を浮かした状態で、肩、脇及び膝を基点として腰をねじったりひねったりすることができる。これにより、著しく高いストレッチ効果を得ることができる。
【００１０】
また、上記ストレッチ装置において、好ましい実施形態では、脇支持部高さ調整機構が、椅子の座面に立設される一対の第１支柱と、一対の第１支柱に沿って上下動可能な一対の第２支柱と、第２支柱を第１支柱に対して上下動させて任意の高さで固定する支柱固定具とを備え、脇支持部は、第２支柱の上端に取り付けられる。
【００１１】
さらに、上記実施形態において、ストレッチ装置は、一対の脇支持部の間隔を調整可能な脇支持部幅調整機構をさらに備えることができる。また、脇支持部幅調整機構は、一対の第１支柱及び第２支柱を任意の間隔で連結する連結具として構成することができる。これにより、肩幅の広い狭いにかかわらず、一対の脇支持部を自身の脇の下に位置させることができ、種々の体格の者がストレッチ装置を使用することができる。
【００１２】
また、上記ストレッチ装置において、好ましい他の実施形態では、ストレッチ装置が、椅子の背もたれに着脱自在に取り付けられるカバーを備え、脇支持部高さ調整機構は、一対の脇支持部が取り付けられる一対のベルトと、カバーに取り付けられる少なくとも一対の固定具とを備え、ベルトは、脇支持部を挟んで一方側がカバーに取り付けられ、他方側に固定具に引っ掛けるための複数の穴が形成され、穴は、ベルトの長手方向に沿って形成され、脇支持部高さ調整機構は、固定具に引っ掛けるベルトの穴を変えることで脇支持部を上下動することができる。
【００１３】
さらに、上記実施形態において、ストレッチ装置は、一対の脇支持部の間隔を調整可能な脇支持部幅調整機構をさらに備えることができる。また、脇支持部幅調整機構は、略水平に複数取り付けられる固定具からなり、ベルトの穴を引っ掛ける固定具を変えることで、一対の脇支持部の間隔を調整することができるように構成することができる。これにより、肩幅の広い狭いにかかわらず、一対の脇支持部を自身の脇の下に位置させることができ、種々の体格の者がストレッチ装置を使用することができる。
【００１４】
また、上記ストレッチ装置において、膝裏押出部調整機構は、椅子の座面上に延びる一対の第１ガイド部と、一対の第１ガイド部に沿って前後動可能な一対の第２ガイド部と、第２ガイド部を第１ガイド部に対して前後動させて任意の押出位置で固定するガイド固定具とを備え、膝裏押出部が、第２ガイド部の前端に取り付けられることができる。
【００１５】
また、上記ストレッチ装置は、椅子の背もたれに取り付けられる第１補助支持機構と、使用者に装着され、第１補助支持機構と係合する第２補助支持機構とを備えることができる。この構成を有することにより、脇支持部に加えて、第１補助支持機構及び第２補助支持機構でも使用者の体重を支えることができる。これにより、使用者の体重が、脇支持部と第１及び第２補助支持機構とに分散される。そのため、体重の重い使用者がストレッチ装置を使用しても、脇支持部に全体重が掛かって脇支持部が破損することを防止できるとともに、使用者の脇に全体重が掛かって脇が痛くなることを防止することができる。また、脇への負担が減少することで長時間のストレッチを行うこともできる。
【００１６】
また、上記ストレッチ装置は、前後方向に撓むように可撓性を有する背もたれを備える椅子に取り付けることができる。背もたれが可撓性を有することにより、使用者が前傾姿勢や体を反らす姿勢を取った場合に、背もたれを使用者の体勢に沿わせることができる。これにより、前傾姿勢でストレッチを行いながら仕事や勉強を行ったり、体を反らせて腰を空中に浮かせたまま休憩したりすることができる。
【００１７】
また、上記ストレッチ装置において、好ましい他の実施形態では、ストレッチ装置が、背部をさらに備え、脇支持部が、背部に取り付けられ、脇支持部高さ調整機構が、背部を上下動させることにより脇支持部を上下動することができる背部駆動機構を備える。
【００１８】
また、上記ストレッチ装置において、ストレッチ装置が、座部をさらに備え、膝裏押出部が、座部と一体的に形成されており、膝裏押出部調整機構が、座部を前後動させることにより膝裏押出部を前後動させることができる座部駆動機構を備えることができる。
【００１９】
さらに、上記ストレッチ装置は、背部に取り付けられる第１補助支持機構と、使用者に装着され、第１補助支持機構と係合する第２補助支持機構とを備えることができる。この構成を有することにより、脇支持部に加えて、第１補助支持機構及び第２補助支持機構でも使用者の体重を支えることができる。これにより、使用者の体重が、脇支持部と第１及び第２補助支持機構とに分散される。そのため、体重の重い使用者がストレッチ装置を使用しても、脇支持部に全体重が掛かって脇支持部が破損することを防止できるとともに、使用者の脇に全体重が掛かって脇が痛くなることを防止することができる。また、脇への負担が減少することで長時間のストレッチを行うこともできる。
【００２０】
また、上記ストレッチ装置において、背部が前後方向に撓むように可撓性を有することができる。この構成により、使用者が前傾姿勢や体を反らす姿勢を取った場合に、背部を使用者の体勢に沿わすことができる。これにより、前傾姿勢でストレッチを行いながら仕事や勉強を行ったり、体を反らせて腰を空中に浮かせたまま休憩したりすることができる。
【発明の効果】
【００２１】
本発明に係るストレッチ装置によれば、使用者が座った姿勢のまま腰を伸ばすことができる。
【図面の簡単な説明】
【００２２】
【図１】本発明のストレッチ装置の第１実施形態を示す斜視図である。
【図２】図１のストレッチ装置の膝裏押出部及び第２ガイド部の分解斜視図である。
【図３】図１のストレッチ装置の第２補助支持機構の一実施形態を示す斜視図である。
【図４】図３の第２補助支持機構の側面図である。
【図５】図１のストレッチ装置の使用状態を示す側面図である。
【図６】図１のストレッチ装置の第１変形例を示す斜視図である。
【図７】図１のストレッチ装置の第２変形例を示す斜視図である。
【図８】図７のストレッチ装置のベルトの一実施形態を示す平面図である。
【図９】図１のストレッチ装置の第３変形例のストレッチ装置の使用状態を示す側面図である。
【図１０】図９のストレッチ装置の膝裏押出部の一実施形態を示す斜視図である。
【図１１】本発明のストレッチ装置が適用できる椅子の変形例を示す斜視図である。
【図１２】図１１の椅子の背もたれの分解斜視図である。
【図１３】本発明のストレッチ装置の第２実施形態を示す側面図である。
【図１４】図１３のストレッチ装置の使用状態を示す側面図である。
【発明を実施するための形態】
【００２３】
以下、本発明に係るストレッチ装置の一実施形態について添付図面を参照して説明する。以下では、使用者の頭を上側、正面を前側として上下前後左右方向を定義する。
【００２４】
まず、本発明に係るストレッチ装置の第１実施形態について、図１〜図５を参照して説明する。第１実施形態では、既存の椅子に対して取り付けることができるストレッチ装置について説明する。椅子は、使用者が座る座面と、使用者がもたれる背もたれとを備える。なお、椅子には、電車・バス・飛行機・自動車等の交通機関の座席の椅子、オフィスや学校等で使用される事務用椅子や木の椅子等の種々の椅子を含む。この点は、本明細書を通じて同義である。
【００２５】
図１に示すように、ストレッチ装置１０は、既存の椅子１に取り付けられ、着座姿勢の使用者５の脇を支持する一対の脇支持部１１と、脇支持部１１を上下動可能な脇支持部高さ調整機構１２と、一対の脇支持部１１の間隔を調整可能な脇支持部幅調整機構１３と、着座姿勢の使用者５の膝裏を押し出す膝裏押出部１４と、膝裏押出部１４を前後動可能な膝裏押出部調整機構１５とを備える。
【００２６】
脇支持部１１は、使用者５の脇の下に挿入できる大きさで形成されている。使用者５の体重を支えられる強度を有する基部に、例えば、立体編物やゴム等のクッション性のある素材を取り付けて形成されることが好ましい。クッション性のある素材を取り付けることにより、ストレッチ装置１０の使用中に脇に痛みが生じることを抑制することができる。
【００２７】
脇支持部高さ調整機構１２は、椅子１の座面２に立てられる一対の第１支柱１２１と、一対の第１支柱１２１の上側において一対の第１支柱１２１の外側に嵌められる一対の第２支柱１２２とから構成される。第２支柱１２２は、第１支柱１２１に沿って上下動して任意の高さで支柱固定具１２３によって第１支柱１２１に固定される。この第２支柱１２２の上端に、脇支持部１１が取り付けられている。
【００２８】
支柱固定具１２３は、ボルトであり、第２支柱１２２の下端にねじ込まれて取り付けられている。この支柱固定具１２３は、ボルトの先端で第１支柱１２１を押圧することによって、第２支柱１２２を第１支柱１２１に対して固定することができる。ボルトで第１支柱１２１を押圧することによって第２支柱１２２を固定することで、微小間隔で固定位置を変えることができ、微妙な高さ調整を行うことができる。
【００２９】
脇支持部幅調整機構１３は、連結具１３１から構成される。連結具１３１には、左右端において、左右方向に所定間隔毎に複数の穴１３１ａが形成されている。第２支柱１２２の裏面には突起（図示せず）が形成されており、この突起を穴１３１ａに挿し込むことで、一対の第１及び第２支柱１２１，１２２が連結される。この時、突起を差し込む穴１３１ａの位置を変えることで、一対の第１及び第２支柱１２１，１２２並びに一対の脇支持部１１の間隔を調整して、任意の間隔で連結することができる。
【００３０】
膝裏押出部１４は、座面２と略同一の幅を有する直方体状に形成されており、下面に一対の脚１４１が取り付けられている。脚１４１は、座面２から少し高い位置に膝裏押出部１４の上面が位置するように高さが調整されている。そして、膝裏押出部１４の座面２側の側面で座面２から上側の部分に膝裏押出部調整機構１５が取り付けられる。膝裏押出部１４の座面２からの高さは、膝裏押出部調整機構１５が取り付けられる高さである。膝裏押出部１４は、ストレッチ装置１０を使用中に使用者５の膝裏に痛みが生じ難いように、例えば、立体編物やゴム等のクッション性のある素材によって形成されることが好ましい。
【００３１】
膝裏押出部調整機構１５は、椅子１の座面２上に延びる一対の第１ガイド部１５１と、一対の第１ガイド部１５１の前端において一対の第１ガイド部１５１の外側に嵌められる一対の第２ガイド部１５２とから構成される。第２ガイド部１５２は、一対の第１ガイド部１５１に沿って前後動して任意の押出位置でガイド固定具１５３によって第１ガイド部１５１に固定される。この第２ガイド部１５２の前端には、突起１５２ａ（図２参照）が一体的に形成さており、突起１５２ａを後述する膝裏押出部１４の上部の穴１４ｂ（図２参照）に挿し込むことにより、膝裏押出部１４が第２ガイド部１５２の前端に取り付けられている。
【００３２】
ガイド固定具１５３も、支柱固定具１２３と同様にボルトであり、第２ガイド部１５２の後端にねじ込まれて取り付けられている。このガイド固定具１５３は、ボルトの先端で第１ガイド部１５１を押圧することによって、第２ガイド部１５２を第１ガイド部１５１に対して固定することができる。ボルトで第１ガイド部１５１を押圧することによって第２ガイド部１５２を固定することで、微小間隔で固定位置を変えることができ、微妙な押出位置の調整を行うことができる。
【００３３】
第１支柱１２１、第２支柱１２２、第１ガイド部１５１及び第２ガイド部１５２は、例えば、プラスチック製のパイプ等を使用して形成することができる。第１支柱１２１の下端と第１ガイド部１５１の後端とは、例えば、湾曲させたゴムチューブ１６等を用い、ゴムチューブ１６の両端を第１支柱１２１の下端及び第１ガイド部１５１の後端に嵌めることで連結されている。
【００３４】
図２に示すように、膝裏押出部１４には、後面１４ａの上部左右端に、連結具１３１に形成される穴１３１ａと同じ間隔で複数の穴１４ｂが形成されている。これにより、第２ガイド部１５２の突起１５２ａを挿し込む穴１４ｂの位置を変えることで、ゴムチューブ１６を介して連結される一対の第１支柱１２１の間隔の変更に追従して、一対の第１及び第２ガイド部１５１，１５２の間隔を変更することができるようになっている。
【００３５】
また、図１、図３及び図４に示すように、ストレッチ装置１０は、脇支持部１１と分散して使用者５の体重を支持するための第１補助支持機構２１及び第２補助支持機構２２を備えることができる。第１補助支持機構２１は、椅子１の背もたれ３の上面３ａに取り付けられる第１板部２１１と、第１板部２１１から突出する複数の第１係合部２１２とから構成される。第１板部２１１及び第１係合部２１２は、例えば、合成樹脂等を射出成形することにより一体的に形成されている。第１板部２１１は、背もたれ３の上面３ａに貼り付けられる大きさを有し、第１係合部２１２は、その第１板部２１１の全面に等間隔で形成されている。
【００３６】
第２補助支持機構２２は、使用者５の背中に取り付けられる第２板部２２１と、第２板部から突出する複数の第２係合部２２２とから構成される。第２板部２２１及び第２係合部２２２も、第１板部２１１及び第１係合部２１２と同様に、例えば、合成樹脂等を射出成形することにより一体的に形成される。第２板部２２１は、使用者５の背中全体を覆う大きさを有し、少なくとも上部は可撓性を有するように形成されている。そして、第２係合部２２２は、第２板部２２１の全面に等間隔で形成されている。
【００３７】
第１係合部２１２及び第２係合部２２２は、それぞれ後方及び下方に傾斜するように形成されることが好ましい。このように第１係合部２１２及び第２係合部２２２を形成することで、使用者５の体重が掛かった際に互いの係合を外れ難くすることができる。
【００３８】
第１板部２１１は、例えば、接着剤等を使用して背もたれ３の上面３ａに貼り付けられる。一方、第２板部２２１の下部には、第２係合部２２２が設けられる側と反対側の面に使用者５の胴体に巻きつける装着ベルト２３が取り付けられている。この装着ベルト２３は、使用者５の前方が開閉可能になっており、面ファスナー２４により胴周りの大きさを調整できるようになっている。この装着ベルト２３を使用者５の胴周りに巻き付けることで、第２板部２２１が使用者５に装着される。
【００３９】
次に、図５を参照して、ストレッチ装置１０の使用状態について説明する。使用者５は、ストレッチ装置１０を既存の椅子１の上に設置する。それから、支柱固定具１２３を緩めて、第２支柱１２２を第１支柱１２１に対して上下動させる。そして、椅子１に座った際に自身の腰が浮く高さに脇支持部１１の位置を調整して、支柱固定具１２３で第２支柱１２２を固定する。一方で、ガイド固定具１５３を緩めて、第２ガイド部１５２を第１ガイド部１５１に対して前後動させる。そして、腰を伸ばすのに最適な位置に膝裏押出部１４を位置させ、ガイド固定具１５３で第２ガイド部１５２を固定する。
【００４０】
ここで第１補助支持機構２１及び第２補助支持機構２２を使用する場合は、使用者５は、胴の周りに装着ベルト２３を巻き、胴を適度に締付ける任意の位置で面ファスナー２４を係合することで装着ベルト２３を装着する。これにより、第２補助支持機構２２が使用者５の背中に取り付けられる。そして、第２係合部２２２の内、脇を脇支持部１１に載せた際に第１係合部２１２と係合する部分について、第２係合部２２２を第１係合部２１２に係合させる。
【００４１】
その後、使用者５は、脇を脇支持部１１上に載せ、膝裏を膝裏押出部１４の前端に引っ掛けてストレッチを行う。
【００４２】
以上のように、本実施形態では、使用者５の脇を支持する脇支持部１１を上昇させることにより、使用者５の上半身が持ち上げられて腰を伸ばすことができる。これにより、椅子１に座った状態で楽に腰を伸ばすことができる。また、座った姿勢では腰に重力が掛かり腰痛等の様々な症状が出ていたが、脇を支持して腰を浮かすことで、引力により腰が引っ張られ、腰痛等の様々な症状を改善させることができる。さらに、同時に膝裏を押し出す膝裏押出部１４を前方へ移動させることにより、使用者５の上半身と併せて使用者５の下半身も引っ張られる。これにより、使用者５の腰を椅子１の座面２及び背もたれ３から空中に静止させることができる。この状態で、肩、脇及び膝を基点として腰をねじったりひねったりすることで、著しく高いストレッチ効果を得ることができる。さらに、第１補助支持機構２１及び第２補助支持機構２２を備えることで、使用者５の体重が脇支持部１１と第１及び第２補助支持機構２１，２２とに分散され、使用者５の脇に掛かる負荷が低減されるため、長時間ストレッチ装置１０を使用することができる。また、一対の脇支持部１１は、連結具１３１によってその間隔を変えることができるため、肩幅の広い狭いにかかわらず、一対の脇支持部を自身の脇の下に位置させることができ、種々の体格の者がストレッチ装置を使用することができる。
【００４３】
以上、本発明の第１実施形態について説明したが、本発明の第１実施形態は上記形態に限定されるものではなく、その趣旨を逸脱しない限りにおいて、種々の変更が可能である。例えば、上記実施形態では、第１支柱１２１と第２支柱１２２をボルトからなる支柱固定具１２３で固定しているが、第１支柱１２１と第２支柱１２２を固定する手段はこの方法に限られない。例えば、支柱固定具１２３としてピンを使用することもできる。この場合、第１支柱１２１には、上下方向に所定間隔で複数の穴が形成されており、第２支柱１２２には、下端に１個の穴が形成されている。そして、第２支柱１２２を第１支柱１２１に対して任意の高さに移動し、その高さで第２支柱１２２の穴と合致する位置の第１支柱１２１の穴に、第２支柱の穴と共にピンを挿し込んで、第２支柱１２２を第１支柱１２１に対して固定することもできる。このように固定することで、ボルトで押圧して固定する場合と比較して、使用者５の体重が掛かった際に、第２支柱１２２が第１支柱１２１に対して滑ることを抑制することができる。この構成は、第１ガイド部１５１と第２ガイド部１５２とを固定するガイド固定具１５３においても適用できる。
【００４４】
また、上記実施形態では、第２支柱１２２を第１支柱１２１に対して外側から嵌め込む構成であるが、例えば第１支柱１２１をレール状に形成し、第２支柱１２２をそのレールと移動可能に係合する部材として形成することができる。この場合も、例えば所定間隔毎に設けられたストッパー等により、第２支柱１２２を第１支柱１２１に対して任意の高さで固定できるように形成されていれば良い。この構成も、第１ガイド部１５１及び第２ガイド部１５２に対しても適用できる。
【００４５】
また、上記実施形態では、連結具１３１に穴１３１ａを形成し、その穴１３１ａに第２支柱１２２が備える突起を挿し込む構成としているが、例えば、穴１３１ａをネジ穴とし、第２支柱１２２が備える突起を雄ネジとすることができる。この場合には、一対の脇支持部１１が任意の間隔となる場所の穴１３１ａに第２支柱１２２の雄ネジをねじ込み、その後、第１支柱１２１に第２支柱１２２を嵌め込むことでストレッチ装置１０を組み立てることができる。さらには、連結具１３１の中央付近で伸縮可能なスライド機構を設け、連結具１３１の両端を一対の第２支柱１２２に固定することもできる。また、連結具１３１は、必ずしも第２支柱１２２に取り付けられる必要はなく、第１支柱１２１に一対の脇支持部１１の間隔を変更可能な任意の態様で取り付けられても良い。さらに、一対の第１支柱１２１及び第２支柱１２２の間には必ずしも連結具１３１が取り付けられる必要はなく、一対の第１及び第２支柱１２１，１２２間の間隔を調整する必要がないストレッチ装置１０においては、単に支持棒等を用いて第１及び第２支柱１２１，１２２を連結することもできる。
【００４６】
また、上記実施形態では、膝裏押出部１４の後面１４ａに単に穴１４ｂが形成されており、第２ガイド部１５２が備える突起１５２ａを挿し込む構成としているが、この穴１４ｂを雌ネジとして形成し、突起１５２ａを雄ネジとして構成して、突起１５２ａを穴１４ｂにねじ込む構成とすることもできる。さらには、膝裏押出部１４の後面１４ａにレールが形成されており、第２ガイド部１５２の前端がそのレールと係合して任意の位置で固定できる構成とすることもできる。
【００４７】
また、上記実施形態では、第１補助支持機構２１は椅子１の背もたれ３の上面にのみ取り付けられているが、例えば、椅子１の背もたれ３の全体に取り付けることもできる。これにより、多くの第１係合部２１２と第２係合部２２２とを係合させることができ、より脇に掛かる荷重が分散される。さらには、背もたれ３及び使用者５にそれぞれ面ファスナーを取り付け、面ファスナー同士の接着により使用者５の体重を補助的に支える構成とすることもできる。
【００４８】
次に、図６〜図１０を参照して、第１実施形態の変形例について説明する。第１実施形態は、脇支持部１１及び脇支持部高さ調整機構１２と、膝裏押出部１４及び膝裏押出部調整機構１５とをそれぞれ別個独立に構成することができる。図６に示す第１変形例は、この内、第１実施形態の脇支持部１１及び脇支持部高さ調整機構１２のみを備えるストレッチ装置１０ａである。また、図７に示す第２変形例は、第１実施形態の膝裏押出部１４及び膝裏押出部調整機構１５と、別の態様の脇支持部３１及び脇支持部高さ調整機構３２とを備えるストレッチ装置３０である。また、図９に示す第３変形例は、第２変形例の脇支持部３１及び脇支持部高さ調整機構３２と、別の態様の膝裏押出部３４及び膝裏押出部調整機構３５とを備えるストレッチ装置３０ａである。なお、上記第１実施形態に係るストレッチ装置１０と同一の構成については、同一の符号を付し、詳細な説明は省略する。
【００４９】
図６に示す第１変形例のストレッチ装置１０ａでは、具体的な構成は、第１実施形態の脇支持部１１及び脇支持部高さ調整機構１２と同一である。第１支柱１２１が直接座面２上に立てられることになるため、椅子１の座面２が傷つかないように第１支柱１２１の下端にゴム等のクッション性の高いキャップ１２４が取り付けられることが好ましい。
【００５０】
図７に示す第２変形例では、ストレッチ装置３０は、着座姿勢の使用者５の脇を支持する一対の脇支持部３１と、脇支持部３１を上下動可能な脇支持部高さ調整機構３２と、一対の脇支持部３１の間隔を調整可能な脇支持部幅調整機構３３と、着座姿勢の使用者５の膝裏を押し出す膝裏押出部１４と、膝裏押出部１４を前後動可能な膝裏押出部調整機構１５と、椅子１の背もたれ３に着脱自在に取り付けられるカバー３６とを備える。
【００５１】
このストレッチ装置３０では、膝裏押出部１４及び膝裏押出部調整機構１５の具体的な構成は、第１実施形態の膝裏押出部１４及び膝裏押出部調整機構１５と同一である。使用時に使用者５が膝裏押出部１４に膝裏を押し当てると、第１ガイド部１５１の後端には何ら負荷が掛からず第１ガイド部１５１が浮き上がるため、第１ガイド部１５１が浮き上がらないように第１ガイド部１５１の後端をバンド１５４等で固定することが好ましい。さらには、膝裏を押し当てることにより背もたれ３の第１ガイド部１５１の後端が押し付けられるため、椅子１の背もたれ３が傷つかないように第１ガイド部１５１の後端にはゴム等のクッション性の高いキャップ１５５が取り付けられることが好ましい。
【００５２】
カバー３６は、例えばプラスチック等から形成され、椅子１の背もたれ３の上部にかぶせることで、背もたれ３に着脱自在に取り付けられるように形成される。
【００５３】
脇支持部３１は、後述する脇支持部高さ調整機構３２が備えるベルト３２１を挿通できる貫通孔を有し、使用者５の脇の下全体に当る大きさに形成されている。第１実施形態の脇支持部１１と同様に、例えば、立体編物やゴム等のクッション性のある素材を使用することが好ましい。クッション性のある素材を取り付けることにより、ストレッチ装置３０の使用中に脇に痛みが生じることを抑制することができる。
【００５４】
脇支持部高さ調整機構３２は、一対のベルト３２１と、カバー３６上に略水平に取り付けられる複数の固定具３２２とから構成される。脇支持部３１は、貫通孔にベルト３２１を挿し通すことによって、ベルト３２１にスライド可能に取り付けられている。また、図８に示すように、ベルト３２１には、略中央に取り付けられる脇支持部３１を挟んだ両側に固定具３２２に引っ掛けるための複数の穴３２１ａ，３２１ｂが形成されている。この穴３２１ａ，３２１ｂは、ベルト３２１の長手方向に沿って所定間隔毎に形成されている。
【００５５】
固定具３２２は、ベルト３２１の穴３２１ａ，３２１ｂを引っ掛けることができるものであれば良く、例えば、ボルト等が用いられる。固定具３２２は、椅子１の背もたれ３の上部左右端に位置するように、カバー３６上に取り付けられる。
【００５６】
上記ストレッチ装置３０の脇支持部３１及び脇支持部高さ調整機構３２は、次のようにして使用される。すなわち、使用者５は、ベルト３２１の一方側の穴３２１ａを固定具３２２に引っ掛ける。そして、ベルト３２１の他方側は、椅子１に座った際に自身の腰が浮く高さに脇支持部３１を位置させることができる穴３２１ｂを固定具３２２に引っ掛ける。そして、スライド可能な脇支持部３１を動かし、脇の下に脇支持部３１を位置させる。
【００５７】
ベルト３２１を固定具３２２に引っ掛ける際、使用者５の背中側にくる穴３２１ａを外側の固定具３２２に引っ掛け、胸側にくる穴３２１ｂを内側の固定具３２２に引っ掛けて斜めに脇を支持することが好ましい。これにより、脇を支持する脇支持部３１及びベルト３２１により腕の動作が妨げられることがなくなる。また、ベルト３２１の穴３２１ａ，３２１ｂを全体的に内側の固定具３２２に取り付けるか、外側の固定具３２２に取り付けるかにより一対の脇支持部３１の間隔を変えることができる。すなわち、複数の固定具３２２が脇支持部幅調整機構３３としても機能している。
【００５８】
上記第２変形例は、上記形態に限定されるものではなく、その趣旨を逸脱しない限りにおいて、種々の変更が可能である。例えば、上記第２変形例では、ベルト３２１には、中央に脇支持部３１が取り付けられ、その両端に複数の穴３２１ａ，３２１ｂが形成されているが、必ずしもこの形態に限られない。例えば、脇支持部３１はベルト３２１上の任意の箇所に取り付けられても良いし、脇支持部３１を挟んだ一方側は、穴３２１ａが形成されなくても良い。ベルト３２１の一方側に穴３２１ａが形成されない場合は、その一方側を、例えばカバー３６に直接縫い付ける等により固定することもできる。
【００５９】
図９に示す第３変形例では、ストレッチ装置３０ａは、着座姿勢の使用者５の脇を支持する一対の脇支持部３１と、脇支持部３１を上下動可能な脇支持部高さ調整機構３２と、一対の脇支持部３１の間隔を調整可能な脇支持部幅調整機構３３と、着座姿勢の使用者５の膝裏を押し出す膝裏押出部３４と、膝裏押出部３４を前後動可能な膝裏押出部調整機構３５と、椅子１の背もたれ３に着脱自在に取り付けられるカバー３６とを備える。脇支持部３１、脇支持部高さ調整機構３２、脇支持部幅調整機構３３及びカバー３６は、第２変形例と同一である。
【００６０】
図１０に示すように、膝裏押出部３４は、角パイプ３４１の長手方向両側の面に取付ベルト３４２が取り付けられて形成されている。取付ベルト３４２の端部には面ファスナー３４３が取り付けられている。膝裏押出部３４は、複数の取付ベルト３４２が取り付けられた角パイプ３４１から構成され、角パイプ３４１は、例えば、９ｃｍ角、８ｃｍ角、７ｃｍ角、６ｃｍ角等の異なる大きさのパイプを組み合せて構成されている。このように異なる大きさのパイプを組み合わせることで不使用時には大きいパイプに小さいパイプを入れて収納できるため好ましい。
【００６１】
上記ストレッチ装置３０ａの膝裏押出部３４は、図９に示すようにして使用される。具体的には、膝裏押出部３４は、腰を伸ばすのに最適な位置に使用者５の膝を位置させることができる任意の大きさの角パイプ３４１を有するものを選択する。そして、椅子１の座面２の前端から膝裏まで並べ、各膝裏押出部３４の取付ベルト３４２を脚の上側に回して面ファスナー３４３によって使用者５の脚に取り付ける。すなわち、複数の膝裏押出部３４が膝裏押出部調整機構３５としても機能している。
【００６２】
上記ストレッチ装置３０ａにおいて、膝裏押出部３４の内、使用しないものは、脇支持部３１の高さを調整する際に使用することもできる。具体的には、使用しない膝裏押出部３４を椅子１の座面２上に置き、その上に座って脇支持部３１の高さを調整する。そして、ストレッチを開始する際にその膝裏押出部３４を外す。これにより、腰を浮かした状態で好ましい脇支持部３１の高さ位置を探す必要がなくなり、脇支持部３１の高さを楽に調整することができる。
【００６３】
上記第３変形例は、上記形態に限定されるものではなく、その趣旨を逸脱しない限りにおいて、種々の変更が可能である。例えば、上記第３変形例では、膝裏押出部３４は、ベルト３４２により使用者５の脚に取り付けられる構成となっているが、角パイプ３４１に対し着脱自在の脚を取り付ける構成としても良い。この時、脚は、角パイプ３４１の上面が座面２と略同じ高さとなるように形成されることが好ましい。脚を取り付けることにより、ストレッチ装置３０の使用時に安定性を増すことができる。
【００６４】
また、第１実施形態の各変形例に関して、第１補助支持機構２１及び第２補助支持機構２２について説明していないが、第１実施形態と同様に、第１補助支持機構２１及び第２補助支持機構２２を用いて使用者５の体重を支えることもできる。また、第２変形例及び第３変形例では、カバー３６に第１実施形態と同様の第１補助支持機構２１を取り付けることが好ましい。これにより、不使用時にはカバー３６とともに第１補助支持機構２１を外して収納しておくことができる。さらに、第２変形例及び第３変形例では、第２補助支持機構２２を、帯の両端に穴を形成した構成とし、帯を使用者５の胴に巻いた状態で、穴を固定具３２２に引っ掛ける構成とすることもできる。この時、帯には西陣織の帯が長手方向の強度が強くて好ましい。
【００６５】
また、第１実施形態の各ストレッチ装置１０，１０ａ，３０，３０ａは、種々の組み合わせが可能であり、例えば、上記ストレッチ装置１０ａに上記ストレッチ装置３０ａの膝裏押出部３４及び膝裏押出部調整機構３５を組み合せても良いし、上記ストレッチ装置３０，３０ａの脇支持部３１及び脇支持部高さ調整機構３２のみでストレッチ装置を構成しても良い。
【００６６】
さらに、第２変形例及び第３変形例の各ストレッチ装置３０，３０ａは、可撓性を有する背もたれ３ａを備える椅子１ａに取り付けて使用することができる。可撓性を有する背もたれ３ａの一例を図１１及び図１２を参照して説明する。なお、図１１には、背もたれ３ａが直立する状態を一点鎖線で示し、その状態から背もたれ３ａが前方に撓んだ状態を実線で示している。
【００６７】
背もたれ３ａは、複数の背もたれ部材４を連結させて形成されている。背もたれ部材４は、基本的には、上面に左右方向に延びる凹条部４ａが形成され、下面に左右方向に延びる凸条部４ｂが形成されている。ただし、背もたれ３ａの最も上に位置する背もたれ部材４は、上面の凹条部４ａを備えなくても良い。また、背もたれ３ａの最も下に位置する背もたれ部材４は、下面の凸条部４ｂを備えなくても良い。背もたれ３ａは、上側の背もたれ部材４の凸条部４ｂを直下の背もたれ部材４の凹条部４ａに順次挿し込むことで形成されている。
【００６８】
図１１及び図１２に示す実施形態では、凸条部４ｂは円筒状に形成されている。一方、凹条部４ａは、ギャップがない状態で凸条部４ｂを嵌め込むことができ、凸条部４ｂの先端が数ミリ程度露出する深さの断面円弧状の溝として形成されている。背もたれ３ａが組み立てられると、上側の背もたれ部材４の凸条部４ｂが下側の背もたれ部材４の凹条部４ａから露出する部分によって、背もたれ部材４間に空隙が形成される。この空隙により、隣接する背もたれ部材４を任意の角度に回転させることができる。一方で、凸条部４ｂは凹条部４ａにギャップがない状態で嵌め込まれているので、背もたれ部材４間に空隙が存在している状態でも、背もたれ部材４を任意の位置関係で維持することができる。これにより、使用者５は、自身の体勢に沿わせて背もたれ３ａを撓めて、ストレッチ装置３０，３０ａを使用することができる。
【００６９】
このように背もたれ３ａが可撓性を有することにより、使用者５が前傾姿勢や体を反らす姿勢を取った場合に、背もたれ３ａを使用者５の体勢に沿わすことができ、前傾姿勢でストレッチを行いながら仕事や勉強を行ったり、体を反らせて腰を空中に浮かせたまま休憩したりすることができる。また、背もたれ３が可撓性を有することで、使用者５は必ずしも背筋を伸ばした姿勢でストレッチ装置３０，３０ａを使用する必要がなくなり、背筋が曲がった状態でストレッチ装置３０，３０ａを使用することができるため、より楽な体勢でストレッチ装置３０，３０ｑａを使用することができる。
【００７０】
なお、凹条部４ａ及び凸条部４ｂの形状は、図１１及び図１２に示す実施形態に限られない。例えば、凹条部４ａに砂を入れ、凸条部４ｂが凹条部４ａに嵌め込まれて。その砂を押さえる形状に形成されることもできる。砂は、押さえられると容易には動かないため、隣接する背もたれ部材４を任意の角度に回転させて凸条部４ｂで砂を押さえることで、背もたれ部材４間に空隙が存在している状態でも、背もたれ部材４を任意の位置関係で維持することができる。また、本体４間の連結は、連結部材を用いて行うこともできる。具体的には、背もたれ部材４の上面及び下面共に凹部が形成されており、その凹部の形状に沿う連結部材によって背もたれ部材４間を連結することもできる。さらに、凹条部４ｂ及び凸条部４ｃは、本体の左右端に亘って延びる必要はなく、本体の一部分に左右に延びて形成されれば良い。また、背もたれ３は、必ずしも複数の背もたれ部材４から形成される必要はなく、例えば、背もたれ３を弾性の高い材料で形成し、フレキシブルアーム等を背もたれ３内に支柱として挿し込むことで、可撓性を有する背もたれ３を形成することもできる。
【００７１】
次に、本発明に係るストレッチ装置の第２実施形態について、図１３及び図１４を参照して以下に説明する。
【００７２】
図１３に示すように、ストレッチ装置４０は、着座姿勢の使用者５の脇を支持する一対の脇支持部４１と、脇支持部４１を上下動可能な脇支持部高さ調整機構４２と、着座姿勢の使用者５の膝裏押出部４４と、膝裏押出部４４を前後動可能な膝裏押出部調整機構４５と、使用者５が座る座部４６と、座った使用者５がもたれる背部４７とを備える。
【００７３】
ストレッチ装置４０は、座部４６及び背部４７で、使用者５が座ってもたれることができる椅子を構成する。脇支持部４１は、背部４７に取り付けられ、使用者５の脇の下に挿入できる大きさで形成されている。第１実施形態と同様に、使用者５の体重を支えられる強度を有する基部に、例えば、立体編物やゴム等のクッション性のある素材を取り付けて形成されることが好ましい。クッション性のある素材を取り付けることにより、ストレッチ装置４０の使用中に脇に痛みが生じることを抑制することができる。また、種々の体格の者でも自身の脇の下に脇支持部４１を設置できるように、一対の脇支持部４１は、互いの間隔及び高さを微調整できる任意の手段により取り付けられることが好ましい。これにより、種々の体格の者がストレッチ装置４０を使用することができる。膝裏押出部４４は、座部４６の前面において、座部４６と一体的に形成される。
【００７４】
脇支持部高さ調整機構４２は、第１モータ４２１と、第１モータ４２１に連動する第１雄ネジ軸４２２と、第１雄ネジ軸４２２と嵌め合わされ、第１雄ネジ軸４２２上を上下動する第１雌ネジ部４２３とから構成される。第１雌ネジ部４２３には第１保持部材４７１が取り付けられており、第１保持部材４７１に背部４７が取り付けられている。ここで、第１モータ４２１、第１雄ネジ軸４２２、及び、第１雌ネジ部４２３が背部駆動機構４２０となる。
【００７５】
膝裏押出部調整機構４５も、脇支持部高さ調整機構４２と同様に、第２モータ４５１と、第２モータ４５１に連動する第２雄ネジ軸４５２と、第２雄ネジ軸４５２と嵌め合わされ、第２雄ネジ軸４５２上を前後動する第２雌ネジ部４５３とから構成される。第２雌ネジ部４５３には第２保持部材４６１が取り付けられており、第２保持部材４６１に座部４６が取り付けられている。ここで、第２モータ４５１、第２雄ネジ軸４５２、及び、第２雌ネジ部４５３が座部駆動機構４５０となる。
【００７６】
上記ストレッチ装置４０は、図１４に示すようにして使用される。具体的には、使用者５は、座部４６に座り背部４７にもたれた状態で、例えば、リモコン等で第１及び第２モータ４２１，４５１を駆動する。第１及び第２モータ４２１，４５１が駆動すると、第１及び第２雄ネジ軸４２２，４５２が回転し、第１及び第２雌ネジ部４２３，４５３が上昇及び前進する。そして、脇支持部４１及び膝裏押出部４４が上昇及び前進する。使用者５は、適度に上体が持ち上げられ且つ膝が前に押し出されて腰が伸びると、その位置でリモコン等を使用して、第１及び第２モータ４２１，４５１を停止させ、ストレッチ運動を行う。
【００７７】
以上のように、本実施形態でも、使用者５の脇を支持する脇支持部４１を上昇させることにより、使用者５の上半身が持ち上げられて腰を伸ばすことができる。これにより、ストレッチ装置４０に座った状態で楽に腰を伸ばすことができる。また、座った姿勢では腰に重力が掛かり腰痛等の様々な症状が出ていたが、脇を支持して腰を浮かすことで、引力により腰が引っ張られ、腰痛等の様々な症状を改善させることができる。さらに、同時に膝裏を押し出す膝裏押出部４４を前方へ移動させることにより、使用者５の上半身と併せて使用者５の下半身も引っ張られる。これにより、使用者５の腰は、ストレッチ装置４０の座部４６及び背部４７から空中に静止させることができる。この状態で、肩、脇及び膝を基点として腰をねじったりひねったりすることで、著しく高いストレッチ効果を得ることができる。さらに、本実施形態では、事前に脇支持部４１の高さや膝裏押出部４４の押出位置を調整する必要がなく、使用者５はストレッチ装置４０に座った状態から第１及び第２モータ４２１，４５１を動作させて脇支持部４１及び膝裏押出部４４を上昇及び前進させることができる。これにより、自身の上半身を持ち上げる高さに脇支持部４１を調整し、自身の腰を伸ばせる位置に膝裏押出部４４を調整するという手間が省け、容易にストレッチ装置４０を使用することができる。
【００７８】
上記第２実施形態は、上記形態に限定されるものではなく、その趣旨を逸脱しない限りにおいて、種々の変更が可能である。例えば、上記第２実施形態では、第１及び第２雌ネジ部４２３，４５３は全周にネジが切られているが、例えば、半周だけネジが切られて第１及び第２雄ネジ軸４２２，４５２と嵌め合わされるように形成され、残りの半周は単に薄いプラスチック板等で覆われる構成とすることができる。これにより、第１及び第２雌ネジ部４２３，４５３の厚みが薄くなり、その分、ストレッチ装置４０の後方及び下方に空間を形成することができる。また、このような構成とすることにより、ストレッチ装置４０の設置スペースが狭い場所であっても、ストレッチ装置４０を設置することができる。
【００７９】
また、上記第２実施形態においては、背部駆動機構４２０、第１雄ネジ軸４２２と第１雌ネジ部４２３とで構成したが、必ずしもこの構成とする必要はない。例えば、背部４７にラチェットが取り付けられており、背部４７の後方に設けられラチェットと嵌合する歯車の回転により背部４７が上下動するように構成することもできる。この場合、ストレッチを行う位置では、例えば、歯車にピン等を係合させて、脇支持部４１を停止させる。また、背部４７の後方において上下に一対の滑車を設け、その滑車にチェーンやベルト等を嵌め、そのチェーンやベルト等の一方を背部４７に取り付けるように構成することができる。これにより、滑車を駆動させるとチェーンやベルト等に従って背部４７を上下動させることができる。さらには、背部４７に上下方向に延びるベルトが取り付けられており、このベルトをローラで挟んで、ローラの回転により背部４７を上下動させることもできる。また、単に背部４７に取り付けたベルトを巻き上げたり解いたりすることで上下動させる構成とすることができる。さらに、油圧システム等を利用して背部４７を上下動させることもできる。その他、既存の任意の手段により、背部４７を上下動させることができる。これと同様の構成は、座部駆動機構４５０においても適用できる。
【００８０】
また、上記第２実施形態では、図１３において、脇支持部４１は、背部４７から棒状に突出する形態を示しているが、上記第１実施形態の第２変形例及び第３変形例のような形態を取り得る。具体的には、背部４７の上部に略水平に複数の固定具が取り付けられ、その固定具にベルト３２１を引っ掛けて使用者５の脇を支持する構成としても良い。
【００８１】
また、上記第２実施形態において、図１４には、第２補助支持機構２２について示していないが、第１実施形態で示した第１及び第２補助支持機構２１，２２を使用することもできる。この時、第１補助支持機構２１は、ストレッチ装置４０の背部４７に任意の手段を用いて取り付けられれば良い。
【００８２】
また、上記第２実施形態において、背部４７が可撓性を有するように形成することができる。具体的には、図１１及び図１２に示す椅子１ａの背もたれ３ａのように背部４７を形成することもできる。これにより、使用者が前傾姿勢や体を反らす姿勢を取った場合に、背部４７を使用者の体勢に沿わすことができ、前傾姿勢でストレッチを行いながら仕事や勉強を行ったり、体を反らせて腰を空中に浮かせたまま休憩したりすることができる。また、可撓性を有する背部４７を形成することで、使用者５は必ずしも背筋を伸ばした姿勢でストレッチ装置４０を使用する必要がなくなり、背筋が曲がった状態でストレッチ装置４０を使用することができるため、より楽な体勢でストレッチ装置４０を使用することができる。
【符号の説明】
【００８３】
１，１ａ  椅子
２        座面
３，３ａ  背もたれ
５        使用者
１０，１０ａ，３０，３０ａ，４０  ストレッチ装置
１１，３１，４１  脇支持部
１２，３２，４２  脇支持部高さ調整機構
１３，３３        脇支持部幅調整機構
１４，３４，４４  膝裏押出部
１５，３５，４５  膝裏押出部調整機構
１２１    第１支柱
１２２    第２支柱
１２３    支柱固定具
１３１    連結具
１５１    第１ガイド部
１５２    第２ガイド部
１５３    ガイド固定具
２１      第１補助支持機構
２２      第２補助支持機構
２１１    第１板部
２１２    第１係合部
２２１    第２板部
２２２    第２係合部
３６      カバー
３２１    ベルト
３２１ａ，３２１ｂ  穴
３２２    固定具
４６      座部
４７      背部
４２０    背部駆動機構
４５０    座部駆動機構
【図１】
2014128408.tif 000003
【図２】
2014128408.tif 000004
【図３】
2014128408.tif 000005
【図４】
2014128408.tif 000006
【図５】
2014128408.tif 000007
【図６】
2014128408.tif 000008
【図７】
2014128408.tif 000009
【図８】
2014128408.tif 000010
【図９】
2014128408.tif 000011
【図１０】
2014128408.tif 000012
【図１１】
2014128408.tif 000013
【図１２】
2014128408.tif 000014
【図１３】
2014128408.tif 000015
【図１４】
2014128408.tif 000016